(57)【特許請求の範囲】
【請求項１】
所定周期で計数動作を繰返すリングカウンタを備え、スタート入賞時における上記リングカウンタの計数値が予め設定された特賞値であったときに特賞状態を発生させるタイプのパチンコゲーム機に取付けられるものであって、
前記リングカウンタが計時動作を繰返す周期と同一周期で計時動作を繰返す計時手段と、
スタート入賞時における前記計時手段の計時時間を検知するスタート時間検知手段と、
パチンコゲーム機で発生した特賞状態の要因となったスタート入賞時に前記スタート時間検知手段が検知した計時時間が、前記予め設定された特賞値の数を上回って分布していたときは警報信号を出力する判定手段とを備えたことを特徴とするパチンコゲーム機用警報装置。
【請求項２】
パチンコゲーム機で発生した特賞状態の要因となったスタート入賞時に前記スタート時間検知手段が検知した計時時間が、前記予め設定された特賞値の数分布するまで記憶する記憶手段を備え、
前記判定手段は、前記記憶手段が計時時間を、前記予め設定された特賞値の数分布するように記憶した状態でパチンコゲーム機で特賞状態が発生したときに、その特賞状態の要因となったスタート入賞時に前記スタート時間検知手段が記憶した計時時間が前記記憶手段に記憶された計時時間と異なっていたときは警報信号を出力することを特徴とする請求項１記載のパチンコゲーム機用警報装置。
【発明の詳細な説明】
【０００１】
【発明の属する技術分野】
本発明は、所定周期で計数動作を繰返すリングカウンタを備え、スタート入賞時における上記リングカウンタの計数値が予め設定された特賞値であったときに特賞状態を発生させるタイプのパチンコゲーム機に取付けられるパチンコゲーム機用警報装置に関する。
【０００２】
【発明が解決しようとする課題】
最近、夜間など人気のないときにパチンコホールに忍び込み、パチンコゲーム機の制御基板を所謂不正基板と取替え、営業時間中に不正基板が装着されたパチンコゲーム機で遊技することにより不正に出玉を獲得するという犯罪が発生している。そのような不正基板は極めて精巧に作られており、外見からは全く判断できないようになっている。従って、不正基板を発見するためには、基板からＲＯＭを取外して検査する方法しかないが、もともとパチンコゲーム機の基板は出荷後の改ざんを防止するために封印されており、検査ができないという事情があった。
【０００３】
また、そのような不正基板のＲＯＭには正規のプログラムと不正のプログラムとが記憶されており、通常は正規のプログラムで動作し、ある特殊な打ち方を行うことにより不正のプログラムで動作するようになっているので、実際に打込みを行うことにより検査するという間接的な方法であっても不正基板を発見することは困難であった。
【０００４】
本発明は上記事情に鑑みてなされたもので、その目的は、パチンコゲーム機を改造することなく制御基板の不正改造を簡単に発見することができるパチンコゲーム機用警報装置を提供することにある。
【０００５】
【課題を解決するための手段】
本発明のパチンコゲーム機用警報装置は、所定周期で計数動作を繰返すリングカウンタを備え、スタート入賞時における上記リングカウンタの計数値が予め設定された特賞値であったときに特賞状態を発生させるタイプのパチンコゲーム機に取付けられるものであって、前記リングカウンタが計時動作を繰返す周期と同一周期で計時動作を繰返す計時手段を設け、スタート入賞時における前記計時手段の計時時間を検知するスタート時間検知手段を設け、パチンコゲーム機で発生した特賞状態の要因となったスタート入賞時に前記スタート時間検知手段が検知した計時時間が、前記予め設定された特賞値の数を上回って分布していたときは警報信号を出力する判定手段を設けたものである（請求項１）。
【０００６】
このような構成によれば、パチンコゲーム機のリングカウンタと警報装置の計時手段とは、動作開始のタイミングは異なるものの、その動作周期は一致している。つまり、リングカウンタの計数値と計時手段の計時時間とは常に１対１で対応している。
【０００７】
さて、パチンコゲーム機でスタート入賞が発生すると、スタート時間検知手段は、スタート入賞時における計時手段の計時時間を検知する。
このとき、パチンコゲーム機の制御基板が不正改造されているときは、特賞確率が不正に高められていることから、特賞状態の要因となったスタート入賞時の計時手段の計時時間が、予め設定された特賞値の数を上回って分布することになる。
【０００８】
そこで、判定手段は、特賞状態の要因となったスタート入賞時にスタート時間検知手段が検知した計時手段の計時時間が、予め設定された特賞値の数を上回って分布していたときは、制御基板は不正改造されていると判断して警報信号を出力する。これにより、制御基板が不正改造されていることを確認することができる。
【０００９】
上記構成において、パチンコゲーム機で発生した特賞状態の要因となったスタート入賞時に前記スタート時間検知手段が検知した計時時間が、前記予め設定された特賞値の数分布するまで記憶する記憶手段を設け、前記判定手段は、前記記憶手段が計時時間を、前記予め設定された特賞値の数分布するまで記憶した状態でパチンコゲーム機で特賞状態が発生したときに、その特賞状態の要因となったスタート入賞時に前記スタート時間検知手段が検知した計時時間が前記記憶手段に記憶された計時時間と異なっていたときは警報信号を出力するようにしてもよい（請求項２）。
【００１０】
このような構成によれば、スタート入賞に伴って特賞状態が発生したときは、記憶手段は、パチンコゲーム機で発生した特賞状態の要因となったスタート入賞時にスタート時間検知手段が検知した計時時間を、予め設定された特賞値の数分布するまで記憶する。
このとき、パチンコゲーム機の制御基板が不正改造されているときは、特賞確率が不正に高められていることから、特賞状態の要因となったスタート入賞時における計時手段の計時時間が、予め設定された特賞値の数を上回って存在することになる。
【００１１】
そこで、判定手段は、記憶手段が計時時間を、予め設定された特賞値の数分布するように記憶した状態でパチンコゲーム機で特賞状態が発生したときに、その特賞状態の要因となったスタート入賞時にスタート時間検知手段が記憶した計時時間が記憶手段に記憶された計時時間と異なっていたときは、制御基板は不正改造されていると判断して警報信号を出力する。これにより、制御基板の不正改造を迅速に確認することができる。
【００１２】
【発明の実施の形態】
以下、本発明の一実施例を図面を参照して説明する。
図２はパチンコゲーム機を概略的に示している。この図２において、パチンコゲーム機１の背面側に制御基板２が配設されており、その制御基板２に搭載されたＣＰＵ３（図１参照）によりパチンコゲーム機１の動作が制御されるようになっている。
【００１３】
つまり、操作ハンドル４に対する操作により盤面５に打込まれたパチンコ玉が入賞口６に入賞したときは、所定数の賞球を払出すと共に、パチンコ玉がスタート入賞口７に入賞したときは盤面５に設けられた表示装置８に表示されている図柄パターンを更新表示する。このとき、ＣＰＵ３は、後述する所定の特賞確率に基づいて特賞状態を発生させると判断したときは、更新表示する図柄パターンとして特賞図柄パターンを表示すると共に、大口入賞口９を所定条件が成立するまで開口することにより多数の賞球を短時間で払出す特賞状態を発生する。
【００１４】
さて、パチンコゲーム機１の背面には不正基板発見装置１０（本発明の警報装置に相当）を装着することができるようになっている。この不正基板発見装置１０は制御基板２が不正基板か否かを判定するためのもので、島内の電源（ＡＣ２４Ｖ）から電源が給電されると共に制御基板２から所定の信号が与えられるように接続される。
【００１５】
図１はパチンコゲーム機１及び不正基板発見装置１０の電気的構成を概略的に示している。この図１において、パチンコゲーム機１はＣＰＵ３を主体として構成されている。このＣＰＵ３はクロック回路１１からの所定周期のクロック信号に基づきＲＯＭ１２に記憶されたプログラムに従って動作するもので、所定のワーキングデータをＲＡＭ１３に格納しながら動作する。
【００１６】
表示装置８は、ＣＰＵ３からの指令に応じて表示図柄パターンを更新する。音声回路１４は、ＣＰＵ３からの指令に応じてスピーカ１５から効果音を発生する。出力回路１６は、ＣＰＵ３からの指令に応じて盤面５に設けられたランプ１７或いは電気役物駆動用のソレノイド１８を駆動する。
【００１７】
ここで、スタート入賞口７にはスタートセンサ１９が設けられている。このスタートセンサ１９はスタート入賞口７にパチンコ玉が入賞したことを検出するためのもので、検出したことを示すスタート信号を入力回路２０を通じてＣＰＵ３に出力するようになっている。
【００１８】
情報出力部２１はパチンコゲーム機１の稼働情報を外部に出力するために設けられており、ＣＰＵ３からの指令に応じて表示装置８に表示されている図柄パターンの更新表示が終了したタイミングで有効スタート信号を出力すると共に、特賞状態の発生期間中は特賞信号を出力する。
【００１９】
ところで、パチンコゲーム機１では電気的ノイズの発生が多くＣＰＵ３が暴走する可能性が高いことから、リセット回路２２から与えられる所定周期（例えば２ｍsec ）のリセット信号でＣＰＵ３をリセットすることによりＣＰＵ３の暴走を防止するように構成している。
【００２０】
一方、制御基板２が不正基板か否かを判定するための不正基板発見装置１０はＣＰＵ２３（本発明の計時手段、スタート時間検知手段、判定手段に相当）を主体として構成されており、クロック回路２４からのクロック信号に基づきＲＯＭ２５に記憶されたプログラムに従って動作するもので、所定のワーキングデータをＲＡＭ２６（本発明の記憶手段に相当）に格納しながら動作する。
【００２１】
リセット回路２７は２ｍsec 毎にＣＰＵ２３にリセット信号を与える。入力回路２８はパチンコゲーム機１のスタート入賞口７に設けられたスタートセンサ１９からのスタート信号、パチンコゲーム機１の情報出力部２１からの有効スタート信号及び特賞信号、並びにキーボード２９からの設定内容をＣＰＵ２３に与える。出力回路３０は、後述するようにＣＰＵ２３からの指令に応じて不正検知信号を管理装置３１に出力する。
【００２２】
この場合、キーボード２９から設定するパラメータとしては、パチンコゲーム機１の特賞確率、パチンコゲーム機１のＣＰＵ３のリセット周期、パチンコゲーム機１から有効スタート信号が出力されてから特賞信号が出力されるまでの時間（１〜３０sec ）等である。
【００２３】
次に上記構成の作用について説明する。
パチンコゲーム機１のＣＰＵ３は電源が投入されると、クロック回路１１からのクロック信号に基づきＲＯＭ１２に記憶されたプログラムを実行する。
【００２４】
図３はパチンコゲーム機１のＣＰＵ３の動作において本発明と関連した動作を示すフローチャートである。
この場合、ＣＰＵ３は２ｍsec 毎にリセットされることから、リセットされるまでに処理に関するワークデータをＲＡＭ１３に記憶すると共に、次のリスタートでＲＡＭ１３を参照することにより、図３に示すフローチャートを支障を生じることなく実行するようになっている。
【００２５】
ここで、ＣＰＵ３はリングカウンタを内部に構成している。このリングカウンタは特賞状態の発生を決定するためのもので、例えば特賞確率が１／４００に設定されている場合は、ＣＰＵ３はリセットされる毎にリングカウンタを１だけインクリメントすることにより０〜３９９まで計数動作すると共に次のリセットタイミングで０から計数動作をリスタートするようになっている（図５参照）。従って、本実施例では、ＣＰＵ３は２ｍsec でリセットされることからリングカウンタの計数動作の周期は８００ｍsec に設定されていることになる。
【００２６】
さて、パチンコゲーム機１の盤面５に打込まれたパチンコ玉がスタート入賞口７に入賞すると、ＣＰＵ３は、スタートセンサ１９からスタート信号を入力するので（Ｓ３０１：ＹＥＳ）、スタートバッファに空があることを確認してから（Ｓ３０２：ＹＥＳ）、リングカウンタの計数値を読込むと共に（Ｓ３０３）、その計数値をスタートバッファに記憶する（Ｓ３０４）。このスタートバッファはスタート入賞時のリングカウンタの計数値を順に記憶するためのもので、通常は最大４個の計数値を記憶することができるようになっている。つまり、スタート入賞口７にパチンコ玉が連続して入賞するような場合は、スタートの権利を４回まで保留することができるようになっており、その保留されたスタートの権利により特賞状態が発生するか否かはスタート入賞時のリングカウンタの計数値で決定されるのである。
【００２７】
続いて、ＣＰＵ３は、スタートバッファから最古の計数値を読込むと共に（Ｓ３０５）、スタートバッファからその計数値をクリアする（Ｓ３０６）。つまり、連続してスタート入賞が発生したときは、最古のスタート入賞時のリングカウンタの計数値から順に読込むのである。
【００２８】
そして、読込んだ計数値に基づいて特賞状態を発生させるか否かを判定する（Ｓ３０７）。つまり、特賞状態の発生確率が１／４００に設定されている場合は、リングカウンタが０〜３９９をカウントする間に１個の特賞値（例えばリングカウンタの計数値が２００）であったときに特賞状態を発生させると判定するのである。
【００２９】
このとき、スタートバッファから読込んだ最古の計数値が予め設定された特賞値でなかったときは（Ｓ３０７：ＮＯ）、外れ表示パターンを決定し（Ｓ３１５）、その表示パターンを表示するように表示装置８に指令を出力する（Ｓ３１６）。これにより、表示装置８には外れ表示パターンが表示される。
【００３０】
このとき、表示装置８に外れ表示パターンを表示したときは（Ｓ３１７：ＹＥＳ）、有効スタート信号を出力する（Ｓ３１８）。これにより、パチンコゲーム機１に接続された外部機器は表示装置８において図柄パターンの更新表示が終了したことを確認することができる。
【００３１】
一方、スタートバッファから読込んだ最古の計数値が特賞値であったときは（Ｓ３０７：ＹＥＳ）、特賞表示パターンを決定し（Ｓ３０８）、その特賞表示パターンを表示するように表示装置８に指令を出力する（Ｓ３０９）。これにより、表示装置８には特賞表示パターンが表示される。
【００３２】
このとき、表示装置８に特賞表示パターンを表示したときは（Ｓ３１０：ＹＥＳ）、有効スタート信号を出力してから（Ｓ３１１）、特賞信号を出力すると共に（Ｓ３１２）、特賞処理を実行してから（Ｓ３１３）、特賞信号の出力を停止する（Ｓ３１４）。これにより、パチンコゲーム機１に接続された外部機器は、表示装置８において図柄パターンの更新表示が終了したことを確認することができると共に、特賞状態が発生したことを確認することができる。
【００３３】
ところで、上記構成のパチンコゲーム機１の制御基板２が正規の場合には、０〜３９９までカウントするリングカウンタには正規の特賞値（この実施例では２００）が１個のみ設定されているものの、制御基板２が不正基板にすり替えられていた場合には、特賞値が不正に多く設定されていることにより特賞確率が通常よりも高くなっている。
【００３４】
そこで、営業終了後に管理装置３０による稼働データに基づいてパチンコゲーム機１の特賞確率が異常に高いと判断される場合には、そのパチンコゲーム機１の背面に図２に示すように不正基板発見装置１０を装着する。
【００３５】
そして、営業開始のために電源を投入すると、パチンコゲーム機１に電源が投入されると同時に不正基板発見装置１０に電源が投入される。このとき、パチンコゲーム機１のＣＰＵ３が動作開始するタイミングと不正基板発見装置１０のＣＰＵ２３が動作開始するタイミングとは異なるのが通常である。
【００３６】
図４は不正基板発見装置１０のＣＰＵ２３の動作を示すフローチャートである。この場合、ＣＰＵ２３は１ｍsec 毎にリセットされることから、リセットされるまでに処理に関するワークデータをＲＡＭ２６に記憶すると共に、次のリスタートでＲＡＭ２６を参照することにより、図４に示すフローチャートを支障を生じることなく実行するようになっている。
【００３７】
即ち、図４において、ＣＰＵ２３は、内部時計をスタートしてから（Ｓ４０１）、スタート信号が入力するか（Ｓ４０２）、有効スタート信号が入力するか（Ｓ４０６）、特賞信号が入力するか（Ｓ４０８）、後述する特賞タイマがタイムアップするかを監視している（Ｓ４１５）。
【００３８】
このとき、内部時計は０〜７９９ｍsec まで計時動作してから次のリセットにより０から計時動作をリスタートするように設定されており（図５参照）、パチンコゲーム機１のＣＰＵ３が構成するリングカウンタとは動作開始のタイミングは同期しないものの、動作する周期は極めて正確に一致している。従って、パチンコゲーム機１のリングカウンタの計数値と不正基板発見装置１０の内部時計の計時時間とは図６に示すように１対１で対応することになる。尚、図６に示した対応関係は１例であり、パチンコゲーム機１のＣＰＵ３が動作開始するタイミングと不正基板発見装置１０のＣＰＵ２３が動作開始するタイミングとに応じて変動する。
【００３９】
そして、ＣＰＵ２３は、パチンコゲーム機１のスタート入賞口７にパチンコ玉が入賞することによりスタートセンサ１９からスタート信号が入力したときは（Ｓ４０２：ＹＥＳ）、スタート保留用のスタートバッファに空があることを確認してから（Ｓ４０３：ＹＥＳ）、内部時計の計時時間を読込み（Ｓ４０４）、その計時時間をスタートバッファに記憶する（Ｓ４０５）。従って、スタート入賞口にパチンコ玉が連続して入賞する場合であっても、スタート入賞時の内部時計の計時時間を最大４個まで記憶することができる。
【００４０】
続いて、スタート入賞に応じて特賞状態が発生したか否かを次のようにして判断する。つまり、パチンコゲーム機１においてスタート入賞に伴って表示装置８の図柄パターンの更新表示が終了したときは、パチンコゲーム機１の情報出力部２１から有効スタート信号が出力されると共に、特賞状態が発生したときは有効スタート信号が出力されてから所定時間内に情報出力部２１から特賞信号が出力される。
【００４１】
そこで、ＣＰＵ２３は、有効スタート信号が入力したときは（Ｓ４０６：ＹＥＳ）、特賞タイマをスタートし（Ｓ４０７）、その特賞タイマがタイムアップするまでに（特賞タイマがタイムアップする時間はパラメータ設定により決定されている）パチンコゲーム機１から特賞信号が入力したときは（Ｓ４０８：ＹＥＳ）、パチンコゲーム機１で特賞状態が発生したと判断する。
【００４２】
また、特賞信号が入力することなくタイマがタイムアップしたときは（Ｓ４１５：ＹＥＳ）、パチンコゲーム機１で特賞状態は発生しなかったと判断し、スタートバッファに記憶している最古のスタート記憶をクリアすると共に（Ｓ４１６）、次のスタート記憶を繰上げる（Ｓ４１７）。
【００４３】
以上の動作により、不正基板発見装置１０のＣＰＵ２３は、パチンコゲーム機１のＣＰＵ３がスタートバッファに記憶された計数値に基づいて特賞状態の発生を判断する際に、その計数値が記憶された際のスタート入賞時における内部時計の計時時間に基づいて特賞判定することができる。
【００４４】
ここで、上述したようにパチンコゲーム機１のＣＰＵ３がリングカウンタの計数動作を繰返す周期と不正基板発見装置１０のＣＰＵ２３が内部時計の計時動作を繰返す周期とは正確に一致していることから、不正基板発見装置１０のＣＰＵ２３においては特賞状態の要因となったスタート入賞時における内部時計の計時時間は電源の投入状態が継続している限り同一となる。
【００４５】
従って、ＣＰＵ２３は、パチンコゲーム機１で最初の特賞状態が発生したときは（図７参照）、ＲＡＭ２６に設定された特賞時間テーブルに何も記憶されていないことから（Ｓ４０９：ＮＯ）、そのときの内部時計の計時時間を特賞時間テーブルに特賞時間として記憶し（Ｓ４１０）（図６参照）、以後においては特賞時間テーブルに記憶した特賞時間に基づいて不正基板が使用されているか否かを判定する。
【００４６】
つまり、パチンコゲーム機１に発生した特賞状態の要因となったスタート入賞時における内部時計の計時時間は、パチンコゲーム機１の制御基板２が正規のものでリングカウンタに特賞値が１個しか設定されていない状態では特賞時間テーブルに記憶した特賞時間と常に一致する。また、パチンコゲーム機１の制御基板２が不正基板である場合は、パチンコゲーム機１のリングカウンタには特賞値が複数設定されていることから、特賞状態の発生の要因となったスタート入賞時のＣＰＵ２３の内部時計の計時時間は複数分布することになる。従って、特賞状態の要因となった計時時間が特賞時間テーブルに記憶した特賞時間と一致するか否かに基づいて制御基板２が不正基板か否かを判定することができる。
【００４７】
そこで、ＣＰＵ２３は、１回目の特賞状態の発生により特賞時間を特賞時間テーブルに記憶した状態で次の特賞信号が入力したときは（Ｓ４０９：ＹＥＳ）、特賞時間テーブルに記憶された特賞時間を読込み（Ｓ４１１）、その特賞時間に対して特賞状態の要因となったスタート入賞時における内部時計の計時時間が所定範囲内にあるか否かを判断する（Ｓ４１２）。
【００４８】
つまり、パチンコゲーム機１のＣＰＵ３と不正基板発見装置１０のＣＰＵ２３とは独立に動作しており、夫々が動作する周期が同一となるように極めて正確に設定されているといっても僅かな誤差を生じることは避け難いことから、特賞時間の前後２〜３ｍsec を特賞時間として含んで判断するようにしている。
【００４９】
そして、ＣＰＵ２３は、上述のようにして特賞時間に基づいて不正判断をしたときは（Ｓ４１２：ＮＯ）、パチンコゲーム機１から特賞信号の入力が停止したところで（Ｓ４１４：ＹＥＳ）、スタートバッファに記憶した最古のスタート記憶をクリアすると共に（Ｓ４１６）、次のスタート記憶を繰上げる（Ｓ４１７）。これにより、パチンコゲーム機１においてスタート入賞口７に連続してパチンコ玉が入賞することによりスタート入賞時における内部時計の計時時間を連続して記憶した場合は、古く記憶した計時時間に基づいて不正基板の判定が順に行われることになる。
【００５０】
さて、パチンコゲーム機１の制御基板２として不正基板が装着されていたときは、パチンコゲーム機１のリングカウンタには特賞確率を不正に高めるために複数の特賞値が設定されていることから、上述したように特賞時間テーブルに記憶した特賞時間と以後において特賞状態の要因となったスタート入賞時における内部時計の計時時間とが異なるという状態を生じるようになる。
【００５１】
そこで、ＣＰＵ２３は、特賞状態の要因となったスタート入賞時における内部時計の計時時間が特賞時間テーブルに記憶した特賞時間と異なっていたときは（Ｓ４１２：ＮＯ）（図７参照）、パチンコゲーム機１の制御基板２は不正基板であると判断し、不正検知信号を管理装置３１に出力する（Ｓ４１３）。これにより、管理装置３１から不正の発生が報知されるので、担当係員は、パチンコゲーム機１の制御基板２として不正基板が使用されていると判断することができ、不正に迅速に対処することができる。
【００５２】
上記構成のものによれば、不正基板発見装置１０のＣＰＵ２３により、パチンコゲーム機１のＣＰＵ３が構成するリングカウンタが計数動作を繰返すのと同一周期で計時動作を繰返す内部時計を構成し、パチンコゲーム機１に発生した特賞状態の要因となったスタート入賞時における内部時計の計時時間の分布に基づいて不正基板か否かを判断するようにしたので、パチンコゲーム機１から制御基板２を取外すことなく不正基板を判定することができる。
【００５３】
本発明は、上記実施例にのみ限定されるものではなく、次のように変形または拡張できる。
パチンコゲーム機１で発生した特賞状態の要因となったスタート入賞時における内部時計の計時時間の分布を順に記憶しておき、それらの計時時間が、予め設定された特賞値の数を上回って分布したとき（実施例では２個）に不正基板であると判断するようにしてもよい。この場合、リングカウンタに特賞値が２個設定されているときは、予め設定された特賞値の数を上回った数としては３となる。
【００５４】
パチンコゲーム機１において制御基板２のクロック回路１１からクロック信号を取出せる場合は、そのクロック信号に基づいて不正基板発見装置１０のＣＰＵ２３を動作させるようにしてもよい。この場合、制御基板２のＣＰＵ３と不正基板発見装置１０のＣＰＵ２３とは同期して動作するようになるので、不正基板の発見精度を高めることができる。
【００５５】
【発明の効果】
以上の説明から明らかなように、本発明のパチンコゲーム機用警報装置によれば、パチンコゲーム機のリングカウンタが計数動作を繰返す周期と同一周期で計時動作を繰返す計時手段を設け、パチンコゲーム機で発生した特賞状態の要因となったスタート入賞時における計時手段の計時時間が、予め設定された特賞値の数を上回って分布していたときは警報信号を出力するようにしたので、パチンコゲーム機を改造することなく制御基板の不正改造を簡単に発見することができるという優れた効果を奏する。
【図面の簡単な説明】
【図１】本発明の一実施例における全体構成を示す概略図
【図２】パチンコゲーム機の正面図
【図３】パチンコゲーム機のＣＰＵの動作を示すフローチャート
【図４】不正基板発見装置のＣＰＵの動作を示すフローチャート
【図５】パチンコゲーム機のリングカウンタと不正基板発見装置の内部時計の動作を示すタイミングチャート
【図６】パチンコゲーム機のリングカウンタと不正基板発見装置の内部時計の計時時間とを対応して示す図
【図７】特賞発生時のパチンコゲーム機のリングカウンタと不正基板発見装置の内部時計の動作を示すタイミングチャート
【符号の説明】
１はパチンコゲーム機、２は制御基板、３はＣＰＵ、７はスタート入賞口、８は表示装置、１０は不正基板発見装置（警報装置）、１９はスタートセンサ、２３はＣＰＵ（計数手段、スタート時間検知手段、判定手段）、２６はＲＡＭ（記憶手段）、３１は管理装置である。
【図１】
0004180673.tif 000002
【図２】
0004180673.tif 000003
【図３】
0004180673.tif 000004
【図４】
0004180673.tif 000005
【図５】
0004180673.tif 000006
【図６】
0004180673.tif 000007
【図７】
0004180673.tif 000008